(57)【要約】【課題】  洗剤の自動投入を簡単な構成で確実に行うことができる食器洗浄機を提供すること。【解決手段】  この食器洗浄機ＷＭは、洗浄水を洗浄槽４０に配置された食器等の洗浄対象物に対して噴射する洗浄ノズル１１ａと、洗剤を洗浄槽４０に投入するための洗剤投入容器４１と、洗浄ノズル１１ａに連結された第１流路１１と、洗浄水を第１流路１１に供給して洗浄ノズル１１ａから噴射させるための洗浄ポンプ２３と、洗浄ポンプ２３を制御するための制御手段と、を備え、制御手段は、所定の洗剤投入タイミングで洗浄ポンプ２３を逆回転させるように制御し、洗浄ポンプ２３を逆回転させることで洗剤投入容器４１に洗浄水が供給されるように構成されている。【選択図】  図５
2009082393.tif 000002
【特許請求の範囲】
【請求項１】
洗浄水を洗浄槽に配置された食器等の洗浄対象物に対して噴射する洗浄ノズルと、
前記洗浄ノズルに洗浄水を供給する洗浄ポンプと、
洗剤を前記洗浄槽に投入するために、その下端が枢着されて搖動自在に前記洗浄槽の前面を覆うように構成されてなる扉に設けられる洗剤投入容器と、を備える食器洗浄機であって、
前記洗剤投入容器は、洗剤を投入するための開口部が設けられており、自重で常に前記開口部が上方を指向するように前記扉に対して搖動自在に軸支されていることを特徴とする食器洗浄機。
【請求項２】
前記洗剤投入容器に洗浄水を供給するための洗剤投入ノズルを備え、
前記洗剤投入ノズルから噴射される洗浄水が前記開口部に噴射されるように構成されており、前記洗剤投入ノズルから前記開口部に洗浄水が噴射されると、前記洗剤投入容器が回転して内部に収容されている洗剤を洗浄水に投入することを特徴とする請求項１に記載の食器洗浄機。
【請求項３】
前記洗剤投入容器に洗浄水を供給するための洗剤投入ノズルを備え、
前記扉が閉じられている場合において、前記洗剤投入容器の一部が前記扉よりも前記洗浄槽側に突出し、
当該突出した部分に前記洗剤投入ノズルから噴射された洗浄水が当たって、前記洗剤投入容器が回転するように構成されていることを特徴とする請求項１に記載の食器洗浄機。
【請求項４】
前記洗剤投入容器に洗浄水を供給するための洗剤投入ノズルを備え、
前記洗剤投入ノズルから噴射される洗浄水は、前記洗剤投入容器の中心に指向されていることを特徴とする請求項１に記載の食器洗浄機。
【発明の詳細な説明】
【技術分野】
【０００１】
本発明は、食器洗浄機に関し、詳細には洗剤を投入する洗剤投入容器の改良に関するものである。
【背景技術】
【０００２】
食器洗浄機では、扉の内部空間に洗剤が投入される洗剤投入容器が設けられているとともに、この洗剤投入容器に対して洗浄ノズルから噴射された洗浄水が流入して、流入した洗浄水とともに洗剤が洗浄槽内に投入されるように、扉の内側に、洗浄水が流入する入口開口と、流入した洗浄水が洗剤とともに流れ出す出口開口が形成されているものが一般的なものであった。また、この洗剤投入容器に連通する出入口の開口にアクチュエータを介して開閉される蓋を設けたものも知られている。例えば特許文献１参照。
【特許文献１】特開平９−１３１２９６号公報
【発明の開示】
【発明が解決しようとする課題】
【０００３】
上気した先行技術においては、液体の洗浄水が流入すると洗剤とともに洗浄水が流れ出すように構成されているため、洗剤投入容器に液体の洗剤を投入するとすぐに流れ出してしまうことから液体洗剤を投入できず、よって粉末洗剤を投入することが基本となっていた。粉末洗剤は、洗浄水に溶けるまでに時間がかかるだけでなく、洗浄水が上手に行き渡らないと固化して洗剤投入容器内などに付着してしまうため、汚れを発生させたり、洗剤濃度の低下が生じてしまうという問題を招くことがあった。この問題を解決するためには洗浄水が洗剤投入容器に多く流入するように構成すれば解決できるが、これでは、洗剤が投入されてしまった後においても洗浄水が多く洗剤投入容器に流入するため、食器の洗浄に寄与しない洗浄水がこのように多くなることは決して好ましいものではなかった。
【０００４】
一方で、特許文献１のように蓋を設ける構成であれば液体洗剤の投入も可能となるが、液体が漏れないように水密状にシールすることは大きなシール力が必要となるためアクチュエータ推力が高く必要になるなどの新たな問題が生じ、また、シール部に残菜が付着してしまうなどの問題も生じていた。
【０００５】
本発明は、液体洗剤の使用を簡単な構成で可能とできる食器洗浄機を提供することを目的とするものである。
【課題を解決するための手段】
【０００６】
上記課題を解決するために本発明に係る食器洗浄機は、洗浄水を洗浄槽に配置された食器等の洗浄対象物に対して噴射する洗浄ノズルと、前記洗浄ノズルに洗浄水を供給する洗浄ポンプと、洗剤を前記洗浄槽に投入するために、その下端が枢着されて搖動自在に前記洗浄槽の前面を覆うように構成されてなる扉に設けられる洗剤投入容器と、を備える食器洗浄機であって、前記洗剤投入容器は、洗剤を投入するための開口部が設けられており、自重で常に前記開口部が上方を指向するように前記扉に対して搖動自在に軸支されている。
【０００７】
本発明によれば、下端が枢着されて搖動自在に構成されている扉に、開口部が常に自重によって情報を指向するように搖動自在に軸支されている洗剤投入容器を備えているので、扉の開閉状況に応じて洗剤投入容器が扉に対して搖動し、洗剤投入容器は開口部を上方に向けた状態を維持することができる。従って、扉を水平に開ききった場合でも、洗剤投入容器は開口部を上方に向けた状態であるので粉体であると液体であるとを問わず、洗剤を容易に洗剤投入容器に投入することができる。洗剤を投入した後の洗剤投入容器も扉に対して搖動するので、扉を水平に開ききった状態から閉じる状態へと搖動させても、洗剤投入容器は開口部を自重によって常に上方に指向させており、洗剤投入容器内の洗剤が洗浄槽内に流れだすことはない。よって、液体洗剤であっても洗浄槽内に流れ出すことがないため、使い勝手がよく、また性能も高い液体洗剤を簡単な構成で使用することが可能となる。
【０００８】
本願請求項２に係る食器洗浄機では、前記洗剤投入容器に洗浄水を供給するための洗剤投入ノズルを備え、前記洗剤投入ノズルから噴射される洗浄水が前記開口部に噴射されるように構成されており、前記洗剤投入ノズルから前記開口部に洗浄水が噴射されると、前記洗剤投入容器が回転して内部に収容されている洗剤を洗浄水に投入する。
【０００９】
この態様によれば、洗剤投入容器に洗浄水を供給するための洗剤投入ノズルを食器洗浄用の洗浄ノズルとは別に備えているので、洗剤投入ノズルを洗剤投入容器に向けて適切な位置に配置することができることから、より確実に、また無駄なく必要な洗浄水を必要なタイミングで必要な量だけ確実に洗剤投入容器に供給することが可能となる。また、開口部に洗浄水が噴射されると洗剤投入容器が回転するように構成されているので、簡単な構成で洗剤投入容器内部に収容されている洗剤をより確実に洗浄槽内へ投入することができる。
【００１０】
本願請求項３に係る食器洗浄機では、前記洗剤投入容器に洗浄水を供給するための洗剤投入ノズルを備え、前記扉が閉じられている場合において、前記洗剤投入容器の一部が前記扉よりも前記洗浄槽側に突出し、当該突出した部分に前記洗剤投入ノズルから噴射された洗浄水が当たって、前記洗剤投入容器が回転するように構成されている。
【００１１】
この態様によれば、洗剤投入容器は、閉じられた扉から洗浄槽側にその一部が突出しているので、洗剤投入ノズルから噴射する洗浄水をその突出した一部に当てやすいように構成されている。洗剤投入ノズルから噴射される洗浄水がその突出した一部に当たると、潜在投入容器が回転するように構成されているので、簡単な構成で洗剤投入容器内部に収容されている洗剤を余すことなく確実に洗浄槽内へと投入することができる。
【００１２】
本願請求項４に係る食器洗浄機では、前記洗剤投入容器に洗浄水を供給するための洗剤投入ノズルを備え、前記洗剤投入ノズルから噴射される洗浄水は、前記洗剤投入容器の中心に指向されている。
【００１３】
この態様によれば、洗剤投入ノズルから噴射する洗浄水を洗剤投入容器の中心に指向させて噴射しているので、洗浄水を洗剤投入容器の開口部から内部に少ない量で確実に供給することができる。また、洗剤投入容器が過剰に回転させられることが抑制できるため洗剤の過剰な飛び散りを防止することができる。従って、簡単な構成で洗剤投入容器内部に収容されている洗剤をより確実に洗浄槽内へと投入することができる。
【発明の効果】
【００１４】
本発明によれば、簡単な構成で容易かつ確実に洗剤を投入できるとともに、液体洗剤であっても問題なく簡単な構成で投入できる食器洗浄機を提供することができる。
【発明を実施するための最良の形態】
【００１５】
以下、添付図面を参照しながら本発明の好適な実施の形態について説明する。説明の理解を容易にするため、各図面において同一の構成要素に対しては可能な限り同一の符号を付して、重複する説明は省略する。
【００１６】
本実施形態に係る食器洗浄機について図１及び図２を参照しながら説明する。図１は、食器洗浄機ＷＭの構成を示す図である。図２は、食器洗浄機ＷＭに組み込まれるＣＰＵ２９の信号の授受を説明するための図である。食器洗浄機ＷＭは、本体１０に洗浄槽４０が引き出し可能に収容されている。洗浄槽４０内には、かご４２が配置されており、かご４２に食器や鍋等を置き、その食器等に洗浄水を噴射して洗浄するように構成されている。
【００１７】
本体１０には、第１流路１１、洗浄ノズル１１ａ、給水口１２、給水バルブ１３、水位センサ１４、水位センサ１５、水位センサ１６、フロート１７、第２流路１８、洗剤投入ノズル１８ａ、温度センサ１９、温風ヒータ２０、ファン２１、吸気口２２、洗浄ポンプ２３、排水ポンプ２４、排水バルブ２５、水温センサ２６、温水ヒータ２７、残菜フィルター２８、ＣＰＵ２９（制御手段）、操作パネル３０、回転洗浄ノズル３１、及び洗剤投入容器４１が設けられている。
【００１８】
図２に示すように、水位センサ１４、水位センサ１５、水位センサ１６、温度センサ１９、及び水温センサ２６から出力される信号はインターフェイスを介してＣＰＵ２９に入力される。ＣＰＵ２９から出力される制御信号はインターフェイスを介して、ファン２１、洗浄ポンプ２３を駆動するためのモータ２３１、排水ポンプ２４を駆動するためのモータ２４１、温風ヒータ２０、温水ヒータ２７、警報機３２、給水バルブ１３、及び排水バルブ２５に出力され、それぞれがその出力された制御信号に応じて作動する。
【００１９】
給水バルブ１３はＣＰＵ２９から出力される制御信号に応じて開閉する。給水バルブ１３が開かれると、給水口１２から洗浄水が洗浄槽４０内に供給される。洗浄槽４０内に溜められる洗浄水の水位を検出するためにフロート１７が配置されている。フロート１７は洗浄水に浮かぶように構成されていて、水位センサ１６、水位センサ１５、水位センサ１４と接触して洗浄水の水位を検出できるように構成されている。
【００２０】
水位センサ１６は、洗浄水が低い水位となっているかを検出するためのセンサであって、主に排水時に的確に排水が行われているかを判断するために用いられる。水位センサ１５は、洗浄水が高い水位となっているかを検出するためのセンサであって、主に給水時に的確に給水が行われているかを判断するために用いられる。水位センサ１４は、洗浄槽４０内の洗浄水が異常に高い水位となっているかを検出するためのセンサであって、例えば給水時に給水バルブ１３が開固定状態になってしまい、洗浄水が過剰に供給されることを検出したり、誤った洗剤が投入されて泡が過剰に発生してしまったことを検出したりするために用いられる。このため、各センサは下方から順に、水位センサ１６、水位センサ１５、水位センサ１４の順に配置されている。
【００２１】
洗浄槽４０の下方には温水ヒータ２７が設けられており、温水ヒータ２７で加熱された洗浄水は洗浄ポンプ２３へと供給される。洗浄ポンプ２３は、正回転時には洗浄水を第１流路１１に供給し、洗浄ノズル１１に向けて圧送する。洗浄ポンプ２３は、また正回転時に洗浄水を回転洗浄ノズル３１へと圧送する。洗浄ポンプ２３は、逆回転時には洗浄水を第２流路１８に供給し、洗剤投入ノズル１８ａに向けて圧送する。
【００２２】
洗浄ノズル１１は、洗浄槽４０の上方に配置されており、洗浄水を上方から食器等へと噴射する。回転洗浄ノズル３１は、かご４２の下方に配置されており、噴射口が回転することで洗浄水を広角に下方から食器等へと噴射する。洗剤投入ノズル１８ａは、洗浄槽４０の上方に配置されており、洗浄水を洗剤投入容器４１へと噴射する。洗剤投入容器４１に洗浄水が噴射されると、洗剤投入容器４１内に収容されている洗剤が飛び散り又は洗浄水と共に溢れ出て、洗浄槽４０内へと供給される。
【００２３】
温水ヒータ２７によって加熱される洗浄水の温度を計測するために、温水ヒータ２７の近傍に水温センサ２６が配置されている。温水ヒータ２７の上方には残菜フィルター２８が設けられていて、食器等を洗った際に落下する残菜が洗浄ポンプ２３側に流れ込まないように構成されている。洗浄ポンプ２３と同じ位置には、排水ポンプ２４と排水バルブ２５とが配置されている。
【００２４】
洗浄槽４０内に温風を噴射するためにファン２１及び温風ヒータ２０が配置されている。ファン２１が回転すると吸気口２２から空気を吸い込んで温風ヒータ２０側に送り込まれ、温風ヒータ２０で加熱された後に洗浄槽４０内に噴射されて排気口４１から排出される。温度センサ１９は、この温風の温度を計測するために温風ヒータ２０よりも洗浄槽４０側に配置されている。
【００２５】
警報機３２は、異常判定の結果、食器洗浄機ＷＭに異常が発生した場合に、使用者への警報を出すための装置である。
【００２６】
操作パネル３０は、食器洗浄機ＷＭに対する使用者の指示入力を受け付ける部分である。操作パネル３０の一例を図３に示す。図３に示す操作パネル３０は、電源ボタン３０１と、スタートボタン３０２と、コース選択ボタン３０３と、乾燥選択ボタン３０４と、換気選択ボタン３０５と、予約ボタン３０６とを備えている。各ボタンを操作した結果の出力信号はＣＰＵ２９に出力され、ＣＰＵ２９によって適宜制御動作が行われる。
【００２７】
電源ボタン３０１は、食器洗浄機ＷＭの主電源を入れたり、切ったりするためのボタンである。スタートボタン３０２は、食器洗浄の開始を指示したり、一時停止を指示したりするためのボタンである。コースボタン３０３は、食器洗浄のコースを指示するためのボタンである。乾燥ボタン３０４は、食器洗浄後の乾燥のコースを指示するためのボタンである。予約ボタン３０６は、食器洗浄の時間を予約するためのボタンである。
【００２８】
引き続いて、食器洗浄機ＷＭの洗浄動作を図４を参照しながら説明する。図４は、食器洗浄機ＷＭの洗浄動作を説明するためのタイムチャートである。図４に示すように、食器洗浄機ＷＭの洗浄動作は順に、給水工程Ｓ４１を実行後、食器に付着した食べ物が乾燥固着するのを防止するとともに食べ物を膨潤させて次の本洗浄工程Ｓ４６で汚れを除去しやすくするための予洗い工程Ｓ４２を所定時間実行し、その終了後洗浄水を排水工程Ｓ４３で排水して、給水工程Ｓ４４でお湯を給水し、洗剤投入工程Ｓ４５で洗剤を投入後、本洗浄工程Ｓ４６で本格的な洗浄を開始する。この本洗浄工程Ｓ４６の終了後、排水工程Ｓ４７、給水工程Ｓ４８を経由して、本洗浄工程Ｓ４６に続いて行われる濯ぎ工程へと移行する。この濯ぎ工程は３つの濯ぎ工程を備えている。具体的には、洗剤が入った洗浄水を排出して綺麗な洗浄水に入れ替えることを目的として短い時間運転される濯ぎ工程１及び２が実行され、その後洗浄水を加熱して高温で本格的に濯ぎ洗浄を行う加熱濯ぎ工程が実行されるように構成されている。その後排水工程Ｓ５６が実行され、その後乾燥工程Ｓ５７に移行して一連の制御シーケンスが終了するように構成されている。
【００２９】
以下この制御シーケンスを具体的に説明すると、給水工程Ｓ４１では、給水バルブ１３が開かれて洗浄槽４０に水が給水される。給水工程Ｓ４１における水位は水位センサ１６が検知するまでの低めの位置に設定されている。予洗い工程Ｓ４２では、洗浄ポンプＳ４３が駆動されて、食器等についた大きな残菜が取り除かれるとともに、食器に付着した食べ物を膨潤させている。その後、排水工程Ｓ４３で排水され、給水工程Ｓ４４で６０度のお湯が給水される。給水工程Ｓ４４における水位は水位センサ１５が検知する高めの位置に設定されている。給水完了後、洗剤投入工程Ｓ４５で洗浄槽４０内に予め格納されている洗剤が投入される。より具体的には、洗浄ポンプ２３が低速で逆回転されて、洗浄水が第２流路１８を通って洗剤投入ノズル１８ａから噴射される。洗剤投入ノズル１８ａは洗剤投入容器４１に向けられているので、洗剤投入ノズル１８ａから噴射された洗浄水は洗剤投入容器４１内に収容されている洗剤を、ポンプを低速にしているため大きな飛び散りを抑制しつつ溢れださせることで、洗浄槽４０内に洗剤が投入される。洗剤投入工程Ｓ４５からの本洗浄工程Ｓ４６においては、温水ヒータ２７に通電され、洗浄ポンプ２３が高速の正回転で駆動され通常制御として洗浄が行われる。
【００３０】
約２０分程度、本洗浄工程Ｓ４６が継続された後、排水工程Ｓ４７で洗剤が混じった洗浄水が排水され、綺麗な常温の洗浄水が再度給水工程Ｓ４８で給水される。給水工程Ｓ４８における水を節約するために水位は水位センサ１６で検知される低めの位置に設定されている。本洗浄工程Ｓ４６が終了すると濯ぎ工程に移行するが、濯ぎ工程は排給水を繰り返す形で連続３回実行される。最初の濯ぎ工程１Ｓ４９では、洗浄ポンプ２３が駆動されて、洗剤を洗い流す。その後、排水工程Ｓ５０で洗浄水が排水され、給水工程Ｓ５１で給水される。給水工程Ｓ５１における水位は同様に低めの位置に設定されている。濯ぎ工程２Ｓ５２で洗浄ポンプ２３が駆動されて、洗剤を洗い流し、排水工程Ｓ５３で洗浄水が排水される。この２回の排給水によって洗浄水は洗剤を含まない綺麗なものとすることができる。その後、給水工程Ｓ５４で６０度のお湯が給水される。この給水工程Ｓ５４における水位は水位センサ１５が検知する高めの位置に設定されている。
【００３１】
給水完了後、温水ヒータ２７に通電されて更に８０度まで洗浄水の温度が高められる。その状態で洗浄ポンプ２３が駆動され、本格的な温水による濯ぎ洗浄が実行される。これが加熱濯ぎ工程Ｓ５５である。この加熱濯ぎ工程は、約２０分程度継続され、食器の洗浄は実質的に完了する。その後、排水工程Ｓ５６で排水し、食器類を乾燥させるための乾燥工程Ｓ５７に移行する。ここでは、ファン２１が回転され、温風ヒータ２０に通電されることで、洗浄槽４０内に温風が噴射され食器類が乾燥させられる。なお、乾燥工程Ｓ５７の初期では、洗浄槽４０内の余熱を利用するため温風ヒータ２０には通電されない。
【００３２】
引き続いて、洗浄ポンプ２３の回転状態と洗浄ノズル１１ａ及び洗剤投入ノズル１８ａからの洗浄水の噴射状態とについて、図５を参照しながら説明する。図５は、食器洗浄機ＷＭの洗浄ポンプ２３、洗浄ノズル１１ａ及び洗剤投入ノズル１８ａ等について模式的に示した図である。
【００３３】
図５に示すように、洗浄ポンプ２３が正回転をすると、洗浄水は第１流路１１のみに供給される。第１流路１１には、回転洗浄ノズル３１と、洗浄ノズル１１ａと、洗浄ノズル１１ｂとが接続されているので、洗浄水が第１流路１１に供給されると、回転洗浄ノズル３１と、洗浄ノズル１１ａと、洗浄ノズル１１ｂとからそれぞれ洗浄水が噴射する。
【００３４】
回転洗浄ノズル３１は、洗浄槽４０の下側に配置されており、上方に向けて洗浄水を噴射するように構成されている。洗浄ノズル１１ｂは、洗浄槽４０の中程に配置されており、水平方向からやや上方に向けて洗浄水を噴射するように構成されている。
【００３５】
洗浄ノズル１１ａは、洗浄槽４０の上側に配置されており、下方に向けて洗浄水を噴射するように構成されている。洗浄ノズル１１ａは、噴射する洗浄水が洗剤投入容器４１には入らないように構成されている。
【００３６】
洗浄ポンプ２３が正回転している場合には、第１流路１１に洗浄水が供給されるものの、第２流路１８には洗浄水が供給されないように構成されている。この構成について図６を参照しながら説明する。
【００３７】
洗浄ポンプ２３は、ケーシング２３１の内部に収められている回転子２３２が回転することで洗浄水に圧力を加え、洗浄水を第１流路１１及び第２流路１８に送り出している。ケーシング２３１と第２流路１８との接合部分には、遮断弁２３３が設けられている。遮断弁２３３は、回転軸２３３ａを中心にして搖動するように構成されている。回転軸２３３ａには、第１弁体２３３ｂが繋がっており、第１弁体２３３ｂの先端には第２弁体２３３ｃが設けられている。第１弁体２３３ｂは、回転軸２３３ａを中心に搖動して第２流路１８への入り口を閉じるように構成されている。回転軸２３３ａは、洗浄ポンプ２３が正回転をした場合に、第１弁体２３３ｂに対して上流側に位置するように構成されている。また、第２弁体２３３ｃは、第１弁体２３３ｂに対して洗浄ポンプ２３の中心側に折れ曲がって突出するように構成されている。従って、洗浄ポンプ２３が正回転をした場合、洗浄水の水流によって第２弁体２３３ｃが洗浄ポンプ２３の外側方向に押されて、第１弁体２３３ｂが第２流路１８への入り口に押しつけられるように構成されている。
【００３８】
続いて、洗浄ポンプ２３が逆回転をした場合について図７及び図８を参照しながら説明する。図７に示すように、洗浄ポンプ２３が逆回転をすると、洗浄水は第１流路１１及び第２流路１８の双方に供給される。図６を参照しながら説明したように、洗浄ポンプ２３と第１流路１１との接合部分には何らの弁も設けられていないので、洗浄ポンプ２３が逆回転しても第１流路１１には洗浄水が供給される。ただし、洗浄ポンプ２３が正回転の場合に比較して、洗浄ポンプ２３が逆回転の場合には吐出圧が低下するので、回転洗浄ノズル３１、洗浄ノズル１１ａ、及び洗浄ノズル１１ｂからそれぞれ噴射される洗浄水の勢いは弱くなる。このように、回転洗浄ノズル３１と、洗浄ノズル１１ａと、洗浄ノズル１１ｂとからそれぞれ噴射される洗浄水は少なくなるけれども、洗剤を供給する工程においては、それらのノズルから噴射される洗浄水は洗剤が大きく飛散したり、飛散して食器等に付着して固化するのを予防しているものであるため噴射量を少なくすることが好ましいものである。
【００３９】
図８に示すように、洗浄ポンプ２３が逆回転をすると、遮蔽弁２３３の第２弁体２３３ｃが洗浄水の水流によって押されて、第１弁体２３３ｂが第２流路１８の入り口から離れるように回転する。従って、第２流路１８に洗浄水が供給されて、洗剤投入ノズル１８ａから洗浄水が噴射され、洗剤投入容器４１に洗浄水が供給される。尚、遮蔽弁２３３の回転軸２３３ａ近傍にはストッパー２３４が設けられているので、遮蔽弁２３３はストッパー２３４によって支えられて所定の開状態を維持する。
【００４０】
洗剤投入ノズル１８ａは、噴射する洗浄水が洗剤投入容器４１に届くような位置に設けられている。従って、洗剤投入ノズル１８ａから噴射された洗浄水は洗剤投入容器４１に供給される。ここで、洗剤投入容器４１について図９〜図１１を参照しながら説明する。図９は、食器洗浄機ＷＭの扉４３を開いた状態を示す図である。扉４３は、その下端が食器洗浄器ＷＭの本体に枢着されていて、搖動自在に構成されている。図９は、扉４３をほぼ水平な状態まで開いた状態を示している。図１０は、図９のＡ−Ａ断面を示す図である。図１１は、図９のＢ−Ｂ断面を示す図である。
【００４１】
図９及び図１０に示すように、扉４３を開いてほぼ水平状態にすると、洗剤投入容器４１は、開口部４１ａを上方に向けた状態となる。洗剤投入容器４１は、回転軸４１１によって扉４３の内面に軸支されており、その底面には錘部４１２が設けられている。従って、洗剤投入容器４１は、回転軸４１１を中心として錘部４１２が下方に位置するように搖動する。このような構成とすることで、図１１の（ａ）に示すように扉４３を略水平となるまで開いた場合には、洗剤投入容器４１は開口部４１ａを上方に向けた状態となり、洗剤を投入することができる。また、図１１の（ｂ）に示すように扉４３を閉じると、洗剤投入容器４１は開口部４１ａを上方に向けた状態となり、開口部４１ａが洗剤投入ノズル１８ａ側を向くことになって、洗剤投入ノズル１８ａから噴射された洗浄水が洗剤投入容器４１の中に供給される。
【００４２】
上述した例では、洗浄ポンプ２３を逆回転させることで、洗剤投入ノズル１８ａに洗浄水を供給して、洗浄投入ノズル１８ａから洗剤投入容器４１に洗浄水を噴射したが、洗剤投入ノズル１８ａから洗剤投入容器４１に洗浄水を噴射する態様はこれに限られるものではない。本実施形態の第１の変形例を図１２及び図１３に示す。
【００４３】
図１２及び図１３に示す第１の変形例は、洗浄ポンプ２３ｚは常に正回転をさせており、遮蔽弁は設けずに第２流路１８の途中に電磁弁４４を設けている。図１２に示すように、電磁弁４４を閉じて洗浄ポンプ２３ｚを正回転させると、第１流路１１のみに洗浄水が供給され、回転洗浄ノズル３１と、洗浄ノズル１１ａと、洗浄ノズル１１ｂとからそれぞれ洗浄水が噴射する。一方、図１３に示すように、電磁弁４４を開いて洗浄ポンプ２３ｚを正回転させると、第１流路１１と第２流路１８との双方に洗浄水が供給され、回転洗浄ノズル３１と、洗浄ノズル１１ａと、洗浄ノズル１１ｂとからそれぞれ洗浄水が噴射すると共に、洗剤投入ノズル１８ａから洗浄水が噴射する。この場合、回転洗浄ノズル３１と、洗浄ノズル１１ａと、洗浄ノズル１１ｂとからそれぞれ噴射される洗浄水は少なくなるけれども、洗剤を供給する工程においては、それらのノズルから噴射される洗浄水は洗剤が食器等に付着するのを予防し、また付着したのを落とすためであるから、噴射量が少なくなっても問題はない。
【００４４】
続いて、本実施形態の第２の変形例を図１４及び図１５に示す。図１４及び図１５に示す第２の変形例は、洗浄ポンプ２３ｚを常に正回転させており、その回転数を変更することで洗浄水の噴射を制御している。図１４に示すように、洗浄ポンプ２３ｚを低い回転数で正回転させると、第１流路１１及び第２流路１８にそれぞれ洗浄水が供給される。しかしながら、洗浄ポンプ２３ｚの回転数が低く洗浄水の吐出圧が低いので、回転洗浄ノズル３１、洗浄ノズル１１ａ、洗浄ノズル１１ｂ、及び洗剤投入ノズル１８ａから噴射される洗浄水は少ない状態である。従って、回転洗浄ノズル３１、洗浄ノズル１１ａ、及び洗浄ノズル１１ｂから噴射される洗浄水が洗剤投入容器４１に届かないのはもちろんのこと、洗剤投入ノズル１８ａから噴射される洗浄水も洗剤投入容器４１に届かない。
【００４５】
一方、図１５に示すように、洗浄ポンプ２３ｚの回転数を上げて正回転させると、高い吐出圧で洗浄水が第１流路１１及び第２流路１８に供給される。このため、洗剤投入ノズル１８ａから噴射される洗浄師が洗剤投入容器４１に届き、洗剤投入ノズル１８ａから噴射された洗浄水が洗剤投入容器４１の中に供給される。
【００４６】
洗浄ポンプ２３ｚからの洗浄水の吐出圧を変更する態様では、洗剤投入ノズル１８ａの代わりに図１６及び図１７に示す洗剤投入ノズル１８ｂを用いてもよい。図１６及び図１７に示す洗剤投入ノズル１８ｂは、支持体１８１と、ノズル１８２とによって構成されている。ノズル１８２は、細長い円筒状の形態を成しており、支持体１８１に対して進退自在に構成されていて、その先端に第１噴射孔１８２ａが、円筒状となっている筒の途中には第２噴射孔１８２ｂがそれぞれ設けられている。
【００４７】
図１６に示すように、洗浄ポンプ２３ｚから洗剤投入ノズル１８ｂに供給される洗浄水の吐出圧が低い場合には、ノズル１８２は支持体１８１の内部に半分程度納まった状態となっていて、第２噴射孔１８２ｂは支持体１８１の内部に隠れた状態となっている。従って、この状態では第１噴射孔１８２ａからのみ洗浄水が噴射される。
【００４８】
一方、図１７に示すように、洗浄ポンプ２３ｚから洗剤投入ノズル１８ｂに供給される洗浄水の吐出圧が高い場合には、ノズル１８２は支持体１８１から更に突出した状態となり、第２噴射孔１８２ｂは支持体１８１の外部に出た状態となる。従って、この状態では、第１噴射孔１８２ａからのみならず、第２噴射孔１８２ｂからも洗浄水が噴射する。図１７に示す状態の場合に、第２噴射孔１８２ｂから噴射される洗浄水が届く位置に洗剤投入容器を配置すれば、洗浄ポンプ２３ｚからの洗浄水の吐出圧の変更によって、確実に洗剤投入容器に洗浄水を供給して、洗剤を飛び散らせたり洗浄水と共に溢れださせたりすることが可能となる。
【図面の簡単な説明】
【００４９】
【図１】本実施形態に係る食器洗浄機の構成を示す図である。
【図２】図１に示す食器洗浄機に組み込まれるＣＰＵの信号の授受を説明するための図である。
【図３】図１に示す食器洗浄機に取り付けられている操作パネルを示す図である。
【図４】図１に示す食器洗浄機の動作を説明するためのタイムチャートである。
【図５】洗浄ノズル及び洗剤投入ノズルからの洗浄水の噴射状態を説明するための図である。
【図６】洗浄ポンプを説明するための図である。
【図７】洗浄ノズル及び洗剤投入ノズルからの洗浄水の噴射状態を説明するための図である。
【図８】洗浄ポンプを説明するための図である。
【図９】洗剤投入容器を説明するための図である。
【図１０】洗剤投入容器を説明するための図である。
【図１１】洗剤投入容器を説明するための図である。
【図１２】本実施形態の変形例における、洗浄ノズル及び洗剤投入ノズルからの洗浄水の噴射状態を説明するための図である。
【図１３】本実施形態の変形例における、洗浄ノズル及び洗剤投入ノズルからの洗浄水の噴射状態を説明するための図である。
【図１４】本実施形態の変形例における、洗浄ノズル及び洗剤投入ノズルからの洗浄水の噴射状態を説明するための図である。
【図１５】本実施形態の変形例における、洗浄ノズル及び洗剤投入ノズルからの洗浄水の噴射状態を説明するための図である。
【図１６】洗剤投入ノズルの変形例を説明するための図である。
【図１７】洗剤投入ノズルの変形例を説明するための図である。
【符号の説明】
【００５０】
ＷＭ…食器洗浄機、１０…本体、４０…洗浄槽、１１…第１流路、１１ａ…洗浄ノズル、１２…給水口、１３…給水バルブ、１４…水位センサ、１５…水位センサ、１６…水位センサ、１７…フロート、１８…第２流路、１８ａ…洗剤投入ノズル、１９…温度センサ、２０…温風ヒータ、２１…ファン、２２…吸気口、２３…洗浄ポンプ、２４…排水ポンプ、２５…排水バルブ、２６…水温センサ、２７…温水ヒータ、２８…残菜フィルター、２９…ＣＰＵ、３０…操作パネル、３１…回転洗浄ノズル、４１…洗剤投入容器、４２…かご、４３…扉。
【図１】
2009082393.tif 000003
【図２】
2009082393.tif 000004
【図３】
2009082393.tif 000005
【図４】
2009082393.tif 000006
【図５】
2009082393.tif 000007
【図６】
2009082393.tif 000008
【図７】
2009082393.tif 000009
【図８】
2009082393.tif 000010
【図９】
2009082393.tif 000011
【図１０】
2009082393.tif 000012
【図１１】
2009082393.tif 000013
【図１２】
2009082393.tif 000014
【図１３】
2009082393.tif 000015
【図１４】
2009082393.tif 000016
【図１５】
2009082393.tif 000017
【図１６】
2009082393.tif 000018
【図１７】
2009082393.tif 000019